(57)【要約】【課題】万年筆のペン先において、筆記時においてもペン芯のインキ流通路からペンの切割溝へのインキ供給が不安なくスムーズに行われるようにする。【解決手段】一時的にインキを貯溜するくし溝１３と空気溝１４を有した外芯４の凹部５に、内芯６を装着したペン芯２にペン３を装着するが、内芯６の少なくとも先端部７を、外芯４の凹部５の底面８に対して揺動可能となるように、凹部５の底面８から離間させて設ける。ペン３を、内芯６の先端部７が外芯４の凹部５の底面８側に押圧するようにペン芯２に装着し、内芯６の先端部７をペン３の裏面９に衝接する。内芯６に設けたインキ流通路１０とペン３の切割溝１２を重なり合わせる。【選択図】図１
2008194991.tif 000002
【特許請求の範囲】
【請求項１】
一時的にインキを貯溜するくし溝とインキ流通路と空気通路を有した、外芯に形成した凹部に内芯を挿入してなるペン芯を備えた万年筆のペン先であって、内芯を、少なくとも先端部が外芯の凹部の底面に対して揺動可能となるように形成するとともに凹部の底面から離間させて設け、ペンを、内芯の先端部を外芯の凹部の底面側に押圧するようにペン芯に装着して、内芯の先端部をペンの裏面に衝接し、少なくとも内芯のインキ溜部をペンの切割溝に重なり合わせ、筆記時にペンがペン芯の先端部より離間しても、前記内芯の先端部がペンの裏面に衝接してなる、万年筆のペン先。
【発明の詳細な説明】
【技術分野】
【０００１】
本発明は、一時的にインキを貯溜するくし溝とインキ流通路と空気通路を有した、外芯に形成した凹部に内芯を挿入してなるペン芯を備えた万年筆のペン先に関する。
【背景技術】
【０００２】
従来、万年筆のペン先として、ペン芯のインキ流通路における安定したインキ流動面積が得られように外芯に凹部を形成し、該凹部に、インキ吸蔵体等の毛細管現象によってインキを導通させる内芯や、インキ溝の幅や形状を工夫して形成した合成樹脂製の内芯を嵌合してなる二重構造のペン芯にペンを装着した構造ものは知られている。
【０００３】
万年筆のペン先においては、ペン芯としてのインキ流通の性能を向上するために、外芯や内芯におけるインキ溝の幅や形状については多様提案されており改善されている。しかし、万年筆のペン先においては、ペンが筆記時に抑揚するという特性があり、ペンに筆圧をかけた状態で例えば長い線を引くと、ペンの先端部においてペンがペン芯から離れた状態で筆記が続けられるので、ペン芯のインキ溝からペンの切割溝へのインキ供給に不安があるという問題があるが、こうした問題を解決するための提案は見掛けない。
【特許文献１】実開平２−１２１９８３号公報
【特許文献２】実公昭３１−６８１５号公報
【発明の開示】
【発明が解決しようとする課題】
【０００４】
本発明は、一時的にインキを貯溜するくし溝とインキ流通路と空気通路を有した、外芯に形成した凹部に内芯を挿入してなるペン芯を備えた万年筆のペン先において、筆記時においてもペン芯のインキ流通路からペンの切割溝へのインキ供給が不安なくスムーズに行われる万年筆のペン先を提供するものである。
【課題を解決するための手段】
【０００５】
本発明は、一時的にインキを貯溜するくし溝とインキ流通路と空気通路を有した、外芯に形成した凹部に内芯を挿入してなるペン芯を備えた万年筆のペン先であって、内芯を、少なくとも先端部が外芯の凹部の底面に対して揺動可能となるように形成するとともに凹部の底面から離間させて設け、ペンを、内芯の先端部を外芯の凹部の底面側に押圧するようにペン芯に装着して、内芯の先端部をペンの裏面に衝接し、少なくとも内芯のインキ溜部をペンの切割溝に重なり合わせ、筆記時にペンがペン芯の先端部より離間しても、前記内芯の先端部がペンの裏面に衝接してなる、万年筆のペン先である。
【０００６】
本発明において、内芯のインキ溜部がペンの切割溝に重なり合うとは、インキ溜部と切割溝が軸心方向に対して垂直方向の上下に位置した状態をいうもので、インキがインキ溜部からペンの切割溝へ供給されれば良く、密着状態のみをいうものではない。
【発明の効果】
【０００７】
本発明は前述したような構造なので、筆記時においても、常に内芯の先端部がペンの先端部分の裏面を外側方向に押圧するように衝接しており、ペン芯の先端部とペンの先端部の裏面が離間しても、内芯のインキ流通路とペンの切割溝は重なり合っているので、ペン芯からペンの切割溝にスムーズにインキを供給することができ、インキ出性能の良いペン先を提供することができる。
【発明を実施するための最良の形態】
【０００８】
内芯は、インキ吸蔵体等の毛細管現象によってインキを導通させるものでも良いし、インキ通路を構成するインキ溝や空気溝を設けたものでも良い。インキ溝を設けたものにおいては、インキ溝が少なくともペンの先端部に形成した切割溝とが上下に重なり合いように設ける。
【実施例】
【０００９】
本発明の実施例を図面において説明する。図１は、本実施例における万年筆のペン先の要部の拡大断面図である。図２は、本実施例のペン先におけるペン芯の平面図である。図３は、図２におけるＡ−Ａ線部分の拡大横断面図である。図４は、ペン芯の縦断面図である。図５は、ペン芯におけるの外芯の縦断面図である。図６は、ペン芯における内芯の平面図である。図７は、図６における内芯の側面図である。図８は、図６における内芯の反対側から見た状態を示す側面図である。図９は、図６におけるＢ−Ｂ線部分の拡大横断面図である。
【００１０】
図１に示す本実施例の万年筆のペン先１は、図２〜図５に示すように、ペン芯２が、ペン３を装着する側の上面４ａに後端を外方に開口して軸心方向に伸びた凹部５を設けた外芯４と、前記凹部５に嵌合可能な内芯６とで構成され、内芯６を前記凹部５に嵌合した構造としてある。
【００１１】
ペン芯２の内芯６の先端部７は、外芯４の凹部５の底面８に対して揺動可能となるように形成してあり、先端部７を凹部５の底面８から離間させて内芯６を外芯４に嵌合してある。ペン芯２には、内芯６の先端部７を外芯４の凹部５の底面８側に押圧するように通常の万年筆のペン３を装着してあり、内芯６の先端部７をペン２の裏面９に衝接させてある。内芯６の先端部７には、ペン芯２に設けたインキ流通路１０に連通させたインキ溜部１１を設けて有り、該インキ溜部１１をペン３の先端部の中央部に形成した切割溝１２に重なり合うようにしてある。ペン３は筆記時に上下方向（図において上下方向）に抑揚するが、内芯６の先端部７もペン３の裏面９を押圧するようにしてあるので、内芯６の先端部７がペン３の裏面９から離間することがない。
【００１２】
本実施例のペン先１においては、内芯６の先端部７を外芯４の凹部５の底面８に当接するようにしても良いし、底面８から若干離間した状態にしても、どちらでも良い。また、ペン３が、ペン芯２の先端部において図１に示すように若干離間した状態であっても良いし、通常のペン先のように当接しているような状態でも良いが、インキの飛び出しや乾燥等を考慮すると、当接するようにした方が良い。
【００１３】
ペン芯２について図２〜図９を用いて詳述すると、外芯４には、図５に示すように、従来のペン芯に見られるように、一時的にインキを貯溜するくし溝１３を形成してあり、外芯４の底部４ｂには前端を開口した空気溝１４を形成してある。
【００１４】
図６〜図９に示すように、内芯６は、軸心方向に延びた略直方体形状で、一方の側面１５には、前後端に開口して軸心方向に延びた肉幅を薄くすることで形成したインキ溝１６を設けてある。反対側の他方の側面１７の後方には、後端に開口した肉幅を薄くすることで形成した空気溝１８を形成してある。内芯６の先端部には前記インキ溝１６に連通し、図７または図８において上下方向の内芯６の底面１９からの距離を短くした、すなわち内心６の表面２０より高さを一段下げた状態によるインキ溜部２１を形成してある。
【００１５】
外芯４に設けた凹部５は、図２に示すように、軸心方向に対して垂直方向である幅方向における中央より先端に向かって右側（図面において上側）に偏倚した位置に設けてあり、凹部５に内芯６を嵌合して内芯６に形成したインキ溝１６と凹部５の内壁面とで形成されるインキ流通路１０が前記幅方向における中央線２２上に位置するようにしてある。また、凹部５に内芯６を嵌合して内芯６に形成した空気溝１８と凹部５の内壁面とで形成される空気通路２３は、くし溝１３を介して外芯４に設けた空気溝１４と連通しており、空気通路としてペン芯１の先端から後端までを連通させてある。
【産業上の利用可能性】
【００１６】
本発明は万年筆のペン先に関するもので、ペンへ安定したインキ量を供給することで万年筆の良好なインキ出を得たい場合に適用できる。
【図面の簡単な説明】
【００１７】
【図１】本実施例における万年筆のペン先の要部の拡大断面図である。
【図２】本実施例のペン先におけるペン芯の平面図である。
【図３】図２におけるＡ−Ａ線部分の拡大横断面図である。
【図４】ペン芯の縦断面図である。
【図５】ペン芯におけるの外芯の縦断面図である。
【図６】ペン芯における内芯の平面図である。
【図７】図５における内芯の側面図である。
【図８】図５における内芯の反対側から見た状態を示す側面図である。
【図９】図６におけるＢ−Ｂ線部分の拡大横断面図である。
【符号の説明】
【００１８】
１  ペン先
２  ペン芯
３  ペン
４  外芯
５  凹部
６  内芯
７  先端部
８  底面
９  裏面
１０  インキ流通路
１２  切割溝
１３  くし溝
【図１】
2008194991.tif 000003
【図２】
2008194991.tif 000004
【図３】
2008194991.tif 000005
【図４】
2008194991.tif 000006
【図５】
2008194991.tif 000007
【図６】
2008194991.tif 000008
【図７】
2008194991.tif 000009
【図８】
2008194991.tif 000010
【図９】
2008194991.tif 000011